(57)【要約】      （修正有）【課題】源泉の高温水を自然冷却させる耐雑菌性に優れた衛生的な源泉冷却装置の提供。【解決手段】源泉冷却装置は、源泉の高温水を無数の貫通小孔８が設けられた如雨露体７１〜７３に通し、高温水を無数の貫通小孔８から雨滴状態で流下させて自然冷却させる。無数の貫通小孔８は如雨露体７１〜７３の平底に設けられる。如雨露体７１〜７３は雨滴の流下方向に間隔をおいて複数段配設される。複数段に配設された如雨露体７１〜７３は、上段側如雨露体７１、７２の底面積よりも下段側如雨露体７３の上面積を拡大形成して配設される。２段目以降の如雨露体７２、７３の全部又は何れかは取付け取り外し自在に配設される。【選択図】図２
0003230204.tif 000002
【実用新案登録請求の範囲】
【請求項１】
源泉の高温水を無数の貫通小孔が設けられた如雨露体に通し、前記高温水を前記無数の貫通小孔から雨滴状態で流下させて自然冷却させることを特徴とする源泉冷却装置。
【請求項２】
無数の貫通小孔は如雨露体の平底に設けられたことを特徴とする請求項１の源泉冷却装置。
【請求項３】
如雨露体は雨滴の流下方向に間隔をおいて複数段配設されたことを特徴とする請求項２に記載の源泉冷却装置。
【請求項４】
複数段に配設された如雨露体は、上段側如雨露体の底面積よりも下段側如雨露体の上面積を拡大形成して配設されたことを特徴とする請求項３に記載の源泉冷却装置。
【請求項５】
２段目以降の如雨露体の全部又は何れかは取付け取り外し自在に配設されたことを特徴とする請求項３又は請求項４に記載の源泉冷却装置。
【請求項６】
如雨露体は、檜製であることを特徴とする請求項２乃至請求項５の何れかに記載の源泉冷却装置。
【考案の詳細な説明】
【技術分野】
【０００１】
本考案は、温泉源（以下、源泉という）からの高温水を自然冷却させる源泉冷却装置に関する。
【背景技術】
【０００２】
源泉からの高温水を冷却する手段としては、先ず、高温水に冷水を加水する手段がある。
しかし、この手段では、源泉成分が希釈化されて温泉効能を低下させたり、温泉源の香りが希釈化されて入浴客の温泉気分を損なわせたり、何よりも、加水経費を常時負担せねばならない、という不都合がある。
【０００３】
又、自然冷却する手段として、実用新案登録第３１１２９７１号の温泉冷却装置が提案されており、この装置は、「植物の枝部分やそれを束ねたものに、上部から温泉を投下し、枝部分を温泉が伝い落ち、先端部から分散して滴下することにより（請求項１の一部抜粋）」冷却させるものである。
【０００４】
しかし、この装置では、有機物の「植物の枝部分」を用いるものであるため、衛生上の問題がある。
即ち、先ず、装置に用いる際には、植物の枝部分に付着する汚れや雑菌を除去せねばならないが、自然素材の利用であるため、完全な除去が困難であり、利用に耐える程度の除去を行うには、相当の手間暇を要してしまう。
【０００５】
次に、利用中の衛生保持に問題がある。
雑菌が死滅する程の高温水が投下されるのはせいぜい装置の上流側であり、入浴に最適な温度帯に近づく装置の下流端側では、却って、雑菌の増殖を促してしまう虞がある。
【０００６】
更に、この装置では、装置を運用するために、常に自然植物の採取という手間や、装置を構築するために、不揃いな植物の枝を揃えたり、束ねたりして、更にこれを重ね合わせる、という手間を要してしまう。
【考案の概要】
【考案が解決しようとする課題】
【０００７】
本考案は、上記のような不都合を解消する源泉冷却装置の提供を目的とする。
【課題を解決するための手段】
【０００８】
請求項１の源泉冷却装置の考案は、源泉の高温水を無数の貫通小孔が設けられた如雨露体に通し、前記高温水を前記無数の貫通小孔から雨滴状態で流下させて自然冷却させることを特徴とする。
【０００９】
請求項２の考案は、請求項１の源泉冷却装置において、無数の貫通小孔は如雨露体の平底に設けられたことを特徴とする。
【００１０】
請求項３の考案は、請求項２に記載の源泉冷却装置において、如雨露体は雨滴の流下方向に間隔をおいて複数段配設されたことを特徴とする。
【００１１】
請求項４の考案は、請求項３に記載の源泉冷却装置において、複数段に配設された如雨露体は、上段側如雨露体の底面積よりも下段側如雨露体の上面積を拡大形成して配設されたことを特徴とする。
【００１２】
請求項５の考案は、請求項３又は請求項４に記載の源泉冷却装置において、２段目以降の如雨露体の全部又は何れかが取付け取り外し自在に配設されたことを特徴とする。
【００１３】
請求項６の考案は、請求項２乃至請求項５の何れかに記載の源泉冷却装置において、如雨露体は檜製であることを特徴とする。
【考案の効果】
【００１４】
請求項1乃至請求項６の考案によれば、何れも、如雨露体の無数の小孔から雨滴状態或いは又シャワー状態（以下、これ等の状態を単に雨滴状態と云う）で、高温水が自然落下するようにして流下されるので、高温水を自然に効率よく冷却させることができる。
【００１５】
請求項1乃至請求項５の考案によれば、何れも、如雨露体を無機物で成形することができるので、耐雑菌性に優れた衛生的な如雨露体で装置を構成することができる。
【００１６】
請求項２の考案によれば、如雨露体の底面が平底とされているので、パイプ等を経て如雨露体に流入する丸棒状態で吐出される高温水が、平らな底に当たって瞬時に平面的に拡散・展開されて、高温水が比較的温度の低い室内外の周辺空気に触れる面積が一挙に拡大するので、冷却効率を高めることができる。
【００１７】
又、無数の貫通小孔を平底に穿つことによって、水平状態に展開する無数の貫通小孔から流下する高温水の流下路が互いに接触せず、水平方向に間隔をおいて流下するので、一層、冷却効率を高めることができる。
【００１８】
請求項３の考案によれば、上下方向に間隔をおいて配置される複数の如雨露体の上下間隔の大小の設定如何により、得ようとする適温の温度設定や装置の冷却能力を比較的自在に調整できる。
【００１９】
請求項４の考案によれば、上段側の如雨露体の底から自然落下するように流下して来る雨滴を漏れなく下段側の如雨露体で受けることによって、高温水を漏れなく、効率良く冷却することができる。
【００２０】
請求項５の考案によれば、如雨露体の段数の設定如何により、得ようとする適温の温度設定や装置の冷却能力を比較的自在に調整できる。
【００２１】
請求項６の考案によれば、古来から浴槽に用いられている檜製とすることによって、檜の香しい香りを温泉水に与えることができ、入浴者に天然温泉の心地良さを満喫させることができると共に、檜の雑菌抑制作用によって比較的良好な衛生状態を保つことができる。
【図面の簡単な説明】
【００２２】
【図１】図１は、本考案の源泉冷却装置を用いた温泉入浴設備の概念図である。
【図２】図２は、図１に示した源泉冷却装置の構造を示した斜視図である。
【考案を実施するための最良の形態】
【００２３】
以下、本考案を実施するための最良の形態を、図１に示す温泉入浴設備の概念図に基づいて説明する。
【実施例１】
【００２４】
図１において、図中の符号１は浴槽、２は湯溜槽、３は湯溜槽２から湯を浴槽１へと導く管路であり、当該管路３の下流端には給湯蛇口４が設けられている。
又、符号５は、源泉(図示せず)からの高温水を本考案の源泉冷却装置に導く第1の源泉蛇口であり、符号５１は、源泉(図示せず)からの高温水を直接浴槽１に導く管路の下流端側に設けられた第２の源泉蛇口であって、浴槽１の湯の温度を高める際に源泉の高温水を直接投入するための蛇口である。
【００２５】
図1及び図２において、図示の源泉冷却装置は、湯溜槽２の上方に位置され、当該源泉冷却装置から雨滴状態で流下する源泉水の全てが漏れなく湯溜槽２へ流入するように設置されている。
源泉冷却装置は、受けた高温の源泉水（以下、高温水ともいう）を雨滴状態で自然落下させて流下させる如雨露体７を備えており、図示の例では、上下方向に冷却に必要な適度な間隔をおいて、３つの如雨露体７１、７２、７３が三段に重なるように配設されている。
【００２６】
このような構造にすると、上下に配置される如雨露体７１、７２、７３の上下間隔の設定如何、即ち、設定される間隔の大小によって、当該間隔を雨滴状態で流下する高温水が比較的温度の低い周辺空気、即ち、源泉冷却装置が置かれた室内或いは室外の環境下の空気、に触れる冷却時間の長短を調整することが可能となるので、得ようとする入浴に最適（適温）な温度設定や装置の冷却能力を比較的自在に調整することができる
【００２７】
又、図示の源泉冷却装置７の３つの如雨露体７１、７２、７３は、図の左右両側の側壁に配置された棚受６、６で支持されており、図の手前方向（紙表方向）にスライドして引き出されるように構成されている。
即ち、図示の各如雨露体７１、７２、７３は、手前方向に各々引き出し可能な構造とされており、各々の如雨露体７１、７２、７３の全部又は何れかを、棚受６、６に出し入れ自在即ち取付け取り外し自在の構成としてある。
【００２８】
このような構造にすると、第２段目以降の如雨露体７２、７３の出し入れ（取付け取外し）による段数の設定如何により、源泉の高温水と周辺空気の季節に応じて変動する気温とに応じての温度設定や装置の冷却能力を比較的自在に調整でき、入浴に適した温水を比較的容易に得ることができる。
【００２９】
図２において、無数の貫通小孔８、８・・は、如雨露体７１、７２、７３の平底に上下方向に貫いて設けてある。
如雨露体７１、７２、７３の底を平底とするのは、パイプ等を経て源泉蛇口５から如雨露体７１の平底に流入した丸棒状で吐出された高温水が、平底に当って瞬時に平面的に拡散・展開し、拡散・展開した高温水が周辺空気に触れる面積が一挙に拡大されるため、冷却効率を高めることができる。
【００３０】
第２段目以降の如雨露体７２、７３においても、上段側の如雨露体７１、７２、の無数の貫通小孔８、８・・から流下して来る高温水が、同様に、平底に当って瞬時に平面的に拡散・展開して、高温水が周辺空気に触れる面積が更に一層拡大させられるため、冷却効率をより一層高めることができる。
【００３１】
又、無数の貫通小孔８、８・・は、平底に穿たれることによって、貫通小孔８、８・・から流下する高温水の流下路が、平面的に間隔をおいて水平方向に展開されるので、流下する高温水が互いに接触せず、効果的に自然冷却させることができる。
更に、平底にこのような貫通小孔８、８、・・・を設けた如雨露体７を複数段７１、７２、７３、上下方向に間隔をおいて上述の如く配設し、これ等に高温水を通して流下滴下させることで、更に一層、高温水の冷却効率を著しく高めることができる。
【００３２】
図２において、複数段に配設された如雨露体７１、７２、７３は、上段側から落下（流下）する雨滴状態の高温水の全て或いは大半を下段側の如雨露体７２、７３で受けるべく、上段側の如雨露体７１、７２、の無数の貫通小孔が穿たれている領域の底面積よりも下段側の如雨露体７２、７３の上面積、即ち、上段の底面側に向いた下段側の雨滴状態の高温水の全て或いは大半を受け入れる受け面積を拡大形成してある。
【００３３】
図示の如雨露体７１、７２、７３の全ては長四角状の枠体としてあり、枠体の長手方向両端側の側壁に棚受６，６を介して、取付け取り外し自在に設置されているため、
枠体の長手方向のサイズは同じ長さで、幅方向のサイズだけを第一段目の如雨露体７１より第２段目の如雨露体７２を幅広に拡大形成してある。
【００３４】
しかしながら、本考案の如雨露装置７は、図示の如雨露体の形状や段数に限定されず、上述の諸機能を発揮さえ出来れば、具体的な形態や形状は如何様であってもよい。
要するに、平底に無数の貫通小孔を備えて、受け入れた高温水を雨滴状態で自然落下させて流下させる機能を備えた形態や形状や構造・構成であればよいのである。
【００３５】
源泉冷却装置を構成する如雨露体７（７１，７２，７３）は、金属製や合成樹脂製等の無機質素材製であってよいが、上記実施例の如雨露体７１，７２，７３は檜製である。
この檜製の如雨露体７１，７２，７３は、深さの浅い平底の木箱状に形成されており、各如雨露体７１，７２，７３には、厚さ１５ミリメートルの平底に、当該平底を貫通する直径３ミリの貫通小孔８を縦横３センチメートルのピッチで、第１段目の如雨露体７１には４００個（１０×４０）、第１段目の如雨露体７１より幅広の第２、第３の如雨露体７２，７３では４５１個（１１×４１）穿設して、各７１，７２，７３の上下間隔を２００ミリメートル空けて重ねられた構成としてある。
【００３６】
上記檜製の装置７で、周辺空気の気温約２０度の環境下での実験によると、以下の通りであった。
実験例１
高温水約６３度の源泉水を毎分１０リットルの流量で流通させたところ、
第１段の如雨露体７１の通過で約５度低下し、第２段、第３段の如雨露体７２，７３の通過で各々約５度ずつ低下し、三段の通過で約１５度低下して、約４３度に自然冷却させることができた。
【００３７】
実験例２
高温水約６３度の源泉水を毎分５リットルの流量で流通させたところ、
第１段の如雨露体７１の通過で約６度低下し、第２段、第３段の如雨露体７２，７３の通過で各々約６度ずつ低下し、三段の通過で約１８度低下して、約４５度に自然冷却させることができた。
【００３８】
実験例３
高温水約６３度の源泉水を毎分１７リットルの最大供給流量で流通させたところ、
第１段の如雨露体７１の通過で約３乃至４度低下し、第２段、第３段の如雨露体７２，７３の通過で各々約３乃至４度ずつ低下し、三段の通過で約１２度低下して、約５１度に自然冷却させることができた。
【００３９】
入浴温度は４０度乃至４２度前後が適温であるが、上記檜製の装置は、浴槽１の上流側に配置された湯溜槽２に湯溜される温水として貯留されるため、湯溜槽２から浴槽１に至るに要する流路の長さや時間経過等による冷却温度を考慮して、実験例１に示すように、湯溜槽２に湯溜される温水温度を約４５度（実験例１）としているのである。
【００４０】
本考案の源泉冷却装置の設置位置は、上記実施例のように必ずしも湯溜槽２の上に設ける必要はなく、直接入浴槽１の上に設けてもよいし、源泉から入浴槽１に至る流路の任意の位置に設けることもできる。
【００４１】
又、設置位置の如何を問わず、本考案の源泉冷却装置によれば、当該装置を構成する如雨露体の貫通小孔の数や、如雨露体の段数や、複数段の如雨露体の上下間隔の設定如何により、比較的容易に、源泉水の温度を所望の温度に迄、自然冷却により調整することができる。更に又、四季の気温変化に応じて季節毎の温度調整も容易となる。
【産業上の利用可能性】
【００４２】
本考案は、温泉源の高温水を効率よく自然冷却させる温泉入浴設備用の源泉冷却装置として説明したが、これに限らず、高温水を自然冷却させる装置として広く他の産業用設備として適用することができる。
【符号の説明】
【００４３】
１  浴槽
２  湯溜槽
３  管路
４  給湯蛇口
５  源泉蛇口
６  棚受
７  源泉冷却装置
８  貫通小孔（如雨露体）
７１  如雨露体（源泉冷却装置）
７２  如雨露体（源泉冷却装置）
７３  如雨露体（源泉冷却装置）
【図１】
0003230204.tif 000003
【図２】
0003230204.tif 000004
【手続補正書】
【提出日】令和2年11月26日(2020.11.26)
【手続補正１】
【補正対象書類名】明細書
【補正対象項目名】００３６
【補正方法】変更
【補正の内容】
【００３６】
上記檜製の装置７で、周辺空気の気温約２０度の環境下での実験によると、以下の通りであった。
実験例１
高温水約６３度の源泉水を毎分１０リットルの流量で流通させたところ、
第１段の如雨露体７１の通過で約５度低下し、第２段、第３段の如雨露体７２，７３の通過で各々約５度ずつ低下し、三段の通過で約１５度低下して、約４８度に自然冷却させることができた。
【手続補正２】
【補正対象書類名】明細書
【補正対象項目名】００３９
【補正方法】変更
【補正の内容】
【００３９】
入浴温度は４０度乃至４２度前後が適温であるが、上記檜製の装置は、浴槽１の上流側に配置された湯溜槽２に湯溜される温水として貯留されるため、湯溜槽２から浴槽１に至るに要する流路の長さや時間経過等による冷却温度を考慮して、実験例２に示すように、湯溜槽２に湯溜される温水温度を約４５度（実験例２）としているのである。